(57)【要約】【課題】一冊単位でページ数（厚さ）や内容が異なる冊子において、冊子との適合性を照合した上で表紙を冊子に貼込む表紙貼込装置と方法を提供する。【解決手段】冊子に表紙を貼込む表紙貼込装置であって、冊子に印刷された冊子ＩＤ番号を貼込み前に読取る冊子ＩＤ読取部と、表紙に印刷された表紙ＩＤ番号を貼込み前に読取る表紙ＩＤ読取部と、冊子ＩＤ番号と表紙ＩＤ番号を照合して適正な対応関係を有するか否かを判定する照合部と、適正であると判定されたときには貼込みを実行し、適正でないと判定されたときには貼込みを回避する制御を行う制御部とを具備するようにした表紙貼込装置とそれに適用される方法。【選択図】  図１
2006327013.tif 000002
【特許請求の範囲】
【請求項１】
冊子に表紙を貼込む表紙貼込装置であって、
前記冊子に印刷された冊子ＩＤ番号を貼込み前に読取る冊子ＩＤ読取部と、
前記表紙に印刷された表紙ＩＤ番号を貼込み前に読取る表紙ＩＤ読取部と、
前記冊子ＩＤ番号と前記表紙ＩＤ番号を照合して適正な対応関係を有するか否かを判定する照合部と、
適正であると判定されたときには前記貼込みを実行し、適正でないと判定されたときには前記貼込みを回避する制御を行う制御部と、
を具備することを特徴とする表紙貼込装置。
【請求項２】
請求項１記載の表紙貼込装置において、前記冊子ＩＤ番号と前記表紙ＩＤ番号はバーコードまたは二次元コードによって表わされており、前記冊子ＩＤ読取部と前記表紙ＩＤ読取部はバーコードリーダまたは二次元コードリーダであることを特徴とする表紙貼込装置。
【請求項３】
複数の冊子を所定の順番に積載する積載過程と、
前記積載された冊子を一冊づつに分離して丁合部に供給する冊子供給過程と、
前記冊子供給の途中において前記冊子に印刷された冊子ＩＤ番号を読取る冊子ＩＤ読取過程と、
複数の表紙を連続用紙に所定の順番に印刷する印刷過程と、
前記印刷された表紙を一枚づつに断裁して前記丁合部に供給する表紙供給過程と、
前記表紙供給の途中において表紙に印刷された表紙ＩＤ番号を読取る表紙ＩＤ読取部と、
前記表紙供給の途中において表紙に糊を塗布する糊塗布過程と、
前記冊子ＩＤ番号と前記表紙ＩＤ番号を照合して適正な対応関係を有するか否かを判定する照合過程と、
適正であると判定されたときには前記冊子と前記表紙を前記丁合部に供給し、適正でないと判定されたときには前記冊子と前記表紙との丁合を回避するため制御を行う制御過程と、
前記丁合された冊子と表紙の糊付けを強固とするために加圧する加圧過程と、
を有することを特徴とする表紙貼込方法。
【請求項４】
請求項３記載の表紙貼込方法において、前記丁合を回避するための制御は前記表紙に糊を塗布する前において機械停止する制御であることを特徴とする表紙貼込方法。
【発明の詳細な説明】
【技術分野】
【０００１】
本発明は製本の技術分野に属する。特に、要求に応じて一冊単位でページ数（厚さ）や内容を変形（カスタマイズ）することが可能な冊子であるオンデマンド冊子等において、冊子との適合性を照合した上で表紙を冊子に貼込む表紙貼込装置に関する。
【背景技術】
【０００２】
従来においては、連続用紙を複数枚丁合し、１セットずつカットした単体伝票を所定数だけ集積部で重ねるとともに、上下に表紙と裏当紙を供給して結合することにより冊子伝票に製本する冊子伝票自動製本機が知られている（特許文献１）。また、ステープル綴じにおいては綴じ枚数に制限があり、用紙の綴じ枚数を所定の範囲内で行わないと体裁の悪いものになっていたが、糊綴じによって枚数の多少に係わらず簡単かつ確実な綴じ処理を行える製本装置が知られている（特許文献２）。また、適用できる帳票の種類が多く、多様性、デザイン性、意匠性を重視した冊子が作成でき、ページごとに目的に応じて用紙種類や厚さの選択ができ、しかも装置寸法の小さな製本装置が知られている（特許文献３）。
【特許文献１】特開平０４−１４６１９０
【特許文献２】特開平１１−２４５５３８
【特許文献３】特開２００３−３０５９６８
【０００３】
上述の特許文献１、特許文献２のような従来の製本装置においては、帳票が１種類しか使用できないため、別工程において表紙を貼り込む必要性がある。そのとき、個別情報（可変情報）が表紙に印刷されているときには、冊子の中身と表紙の照合が必要であるが、そのような機能を有していない。また、特許文献３のような従来の製本装置においては、多種類の帳票を組合わせて冊子を形成することができる。しかし、連続帳票を一枚づつ切り離して可変枚数で供給する方式では高い生産性を得ることは極めて困難である。従来より「貼り機」と呼ばれる装置は存在するが、可変枚数を前提とした冊子への表紙の貼り込みは構造的に行えない。また、冊子の中身と表紙を照合する機能を有していない。
【発明の開示】
【発明が解決しようとする課題】
【０００４】
本発明は上記の問題を解決するために成されたものである。その目的は、一冊単位でページ数（厚さ）や内容が異なる冊子において、冊子との適合性を照合した上で表紙を冊子に貼込む表紙貼込装置と方法を提供することにある。
【課題を解決するための手段】
【０００５】
本発明の請求項１に係る表紙貼込装置は、冊子に表紙を貼込む表紙貼込装置であって、前記冊子に印刷された冊子ＩＤ番号を貼込み前に読取る冊子ＩＤ読取部と、前記表紙に印刷された表紙ＩＤ番号を貼込み前に読取る表紙ＩＤ読取部と、前記冊子ＩＤ番号と前記表紙ＩＤ番号を照合して適正な対応関係を有するか否かを判定する照合部と、適正であると判定されたときには前記貼込みを実行し、適正でないと判定されたときには前記貼込みを回避する制御を行う制御部とを具備するようにしたものである。
また本発明の請求項２に係る表紙貼込装置は、請求項１に係る表紙貼込装置において、前記冊子ＩＤ番号と前記表紙ＩＤ番号はバーコードまたは二次元コードによって表わされており、前記冊子ＩＤ読取部と前記表紙ＩＤ読取部はバーコードリーダまたは二次元コードリーダであるようにしたものである。
また本発明の請求項３に係る表紙貼込方法は、複数の冊子を所定の順番に積載する積載過程と、前記積載された冊子を一冊づつに分離して丁合部に供給する冊子供給過程と、前記冊子供給の途中において前記冊子に印刷された冊子ＩＤ番号を読取る冊子ＩＤ読取過程と、複数の表紙を連続用紙に所定の順番に印刷する印刷過程と、前記印刷された表紙を一枚づつに断裁して前記丁合部に供給する表紙供給過程と、前記表紙供給の途中において表紙に印刷された表紙ＩＤ番号を読取る表紙ＩＤ読取部と、前記表紙供給の途中において表紙に糊を塗布する糊塗布過程と、前記冊子ＩＤ番号と前記表紙ＩＤ番号を照合して適正な対応関係を有するか否かを判定する照合過程と、適正であると判定されたときには前記冊子と前記表紙を前記丁合部に供給し、適正でないと判定されたときには前記冊子と前記表紙との丁合を回避するため制御を行う制御過程と、前記丁合された冊子と表紙の糊付けを強固とするために加圧する加圧過程とを有するようにしたものである。
また本発明の請求項４に係る表紙貼込方法は、請求項３に係る表紙貼込方法において、前記丁合を回避するための制御は前記表紙に糊を塗布する前において機械停止する制御であるようにしたものである。
【発明の効果】
【０００６】
本発明の請求項１に係る表紙貼込装置によれば、冊子ＩＤ読取部により冊子に印刷された冊子ＩＤ番号が貼込み前に読取られ、表紙ＩＤ読取部により表紙に印刷された表紙ＩＤ番号が貼込み前に読取られ、照合部により冊子ＩＤ番号と表紙ＩＤ番号が照合されて適正な対応関係を有するか否かが判定され、制御部により適正であると判定されたときには貼込みを実行し、適正でないと判定されたときには貼込みを回避する制御が行われる。したがって、一冊単位でページ数（厚さ）や内容が異なる冊子において、冊子との適合性を照合した上で表紙を冊子に貼込む表紙貼込装置が提供される。
また本発明の請求項２に係る表紙貼込装置によれば、冊子ＩＤ番号と表紙ＩＤ番号はバーコードまたは二次元コードによって表わされており、冊子ＩＤ読取部と表紙ＩＤ読取部はバーコードリーダまたは二次元コードリーダである。したがって、普及している機器を使用することができ、読取において高い精度と信頼性を得ることができる。
また本発明の請求項３に係る表紙貼込方法によれば、積載過程において複数の冊子が所定の順番に積載され、冊子供給過程において積載された冊子が一冊づつに分離されて丁合部に供給され、冊子ＩＤ読取過程において冊子供給の途中において冊子に印刷された冊子ＩＤ番号が読取られ、印刷過程において複数の表紙が連続用紙に所定の順番に印刷され、表紙供給過程において印刷された表紙が一枚づつに断裁されて丁合部に供給され、表紙ＩＤ読取部において表紙供給の途中において表紙に印刷された表紙ＩＤ番号が読取られ、糊塗布過程において表紙供給の途中において表紙に糊が塗布され、照合過程において冊子ＩＤ番号と表紙ＩＤ番号が照合されて適正な対応関係を有するか否かが判定すされ、適正であると判定されたときには前記冊子と前記表紙を前記丁合部に供給し、制御過程において適正でないと判定されたときには冊子と表紙との丁合を回避するため制御が行われ、加圧過程において丁合された冊子と表紙の糊付けを強固とするために加圧が行われる。したがって、一冊単位でページ数（厚さ）や内容が異なる冊子において、冊子との適合性を照合した上で表紙を冊子に貼込む表紙貼込方法が提供される。
また本発明の請求項４に係る表紙貼込方法によれば、丁合を回避するための制御は表紙に糊を塗布する前において機械停止する制御である。したがって、冊子、表紙、等の材料の無駄がない。
【発明を実施するための最良の形態】
【０００７】
次に、本発明の実施の形態について図を参照しながら説明する。本発明の表紙貼込装置における構成と加工過程の一例を説明図として図１に示す。また本発明の表紙貼込装置における制御系統の一例をブロック図として図２に示す。図１、図２において、１は冊子積載部、２は冊子供給部、３は冊子ＩＤ読取部、４は表紙供給部、５は表紙ＩＤ読取部、６は糊塗布部、７は丁合部、８は加圧部、９は表紙付冊子積載部、１０は三方断裁部、１１は照合手段、１２は制御手段、１０１は冊子、１０２は表紙、１０３は連続用紙である。また、図１におけるａ〜ｇは冊子、表紙、等の流れる方向、すなわち加工過程の順番を示している。また図２におけるａ〜ｇはコンベヤまたは挟持ベルトを示している。図１に示すように、冊子と表紙は別々に供給され、丁合部７において対応関係の適合する冊子と表紙が一体化され、後加工を経て、表紙を貼込んだ冊子が得られる。
【０００８】
冊子積載部１は冊子を積載しておく手段である。冊子積載部１において複数の冊子は所定の順番に積載されている。冊子は前工程において所定の順番に製作されていて、その順番を保持したまま冊子積載部１に積載される。図１に示す一例においては、所定の高さに積載された複数の冊子が前工程からコンベヤａ（図示せず）により矢印ａで示す方向に搬送される。搬送された先、すなわち矢印ａの先端の部位には、昇降ステージ（図示せず）が設けられている。積載された冊子はコンベヤａからその昇降ステージに受け渡される。昇降ステージは積載された冊子の最上部の位置が所定の位置となるようにステージを昇降させる。
【０００９】
冊子供給部２は積載された冊子を一冊づつに分離して丁合部７に供給する手段である。昇降ステージの最上部の冊子は、吸引機構（図示せず）等により吸着され、吸着機構を所定の経路に沿って変位する変位機構により変位される。この吸着と変位により、最上部の冊子は昇降ステージからコンベヤｂ（図示せず）に受け渡される。コンベヤｂは矢印ｂで示す方向に冊子１０１を搬送するコンベヤである。矢印ｂの先端の部位には丁合部７が設けられている。コンベヤｂによって搬送された冊子１０１はコンベヤｂから丁合部７に受け渡される。冊子は一冊単位でページ数（厚さ）が異なる（後述する）が、冊子供給部２はそのような冊子を一冊づつ分離して供給することができる。
【００１０】
冊子ＩＤ読取部３は冊子１０１を丁合部７に供給（搬送）する途中において冊子１０１に印刷された冊子ＩＤ番号を読取る手段である。冊子ＩＤ番号はＯＣＲ文字等で表わすことができる。また冊子ＩＤ番号はバーコードまたは二次元コードによって表わすことができる。冊子ＩＤ読取部３は冊子ＩＤ番号の種類に応じた読取手段である。冊子ＩＤ読取部３をバーコードリーダまたは二次元コードリーダとしたときには、普及している機器を使用することができ、読取において高い精度と信頼性を得ることができるため好適である。
【００１１】
なお、ここにおける冊子は、要求に応じて一冊単位でページ数（厚さ）や内容を変形（カスタマイズ）することが可能な冊子（オンデマンド冊子）である。すなわち多数ある冊子の各々は原則的に仕様が異なったものでそれらが混在して製作される。その製作過程で特定の冊子とその仕様とを対応付ける必要性があり、そのためのキー情報として冊子を特定するための冊子ＩＤ番号が付されている。
【００１２】
表紙供給部４は連続用紙１０３に印刷された表紙を一枚づつに断裁して丁合部７に供給する手段である。表紙は前工程において所定の順番に連続用紙（長尺の印刷用紙）に印刷されている。連続用紙１０３はその印刷済みの連続用紙であり、表紙が所定の順番となるように表紙供給部４から供給される。表紙１０２はバースター、カッター等の断裁手段（図示せず）により連続用紙１０３の先頭部分から切り離された一枚の表紙である。切り離された表紙１０２は、まず、断裁手段と表紙ＩＤ読取部５を経由して挟持ベルトｃ（図示せず）によって糊塗布部６まで搬送される。挟持ベルトｃは矢印ｃで示す方向に表紙１０２を搬送する挟持ベルトである。その後、表紙１０２は挟持ベルトｄ（図示せず）によって丁合部７まで搬送される。挟持ベルトｄは矢印ｄで示す方向に表紙１０２を搬送する挟持ベルトである。
【００１３】
表紙ＩＤ読取部５は表紙１０２を丁合部７に供給（搬送）する途中において表紙１０２に印刷された表紙ＩＤ番号を読取る手段である。表紙ＩＤ番号はＯＣＲ文字等で表わすことができる。また表紙ＩＤ番号はバーコードまたは二次元コードによって表わすことができる。表紙ＩＤ読取部５は表紙ＩＤ番号の種類に応じた読取手段である。表紙ＩＤ読取部５をバーコードリーダまたは二次元コードリーダとしたときには、普及している機器を使用することができ、読取において高い精度と信頼性を得ることができるため好適である。
【００１４】
なお、ここにおける表紙は、要求に応じて一枚の表紙単位で内容を変形（カスタマイズ）することが可能な表紙（オンデマンド表紙）である。すなわち多数ある表紙の各々は原則的に仕様が異なったものでそれらが混在して製作される。その製作のため特定の表紙とその仕様とを対応付ける必要性があり、そのためのキー情報として表紙を特定するための表紙ＩＤ番号が付されている。
【００１５】
糊塗布部６は表紙供給部４によって表紙１０２が丁合部７に供給される途中において表紙１０２に糊を塗布する手段である。糊塗布部６によって糊は表紙１０２の所定の辺部分に直線状に塗布される。糊塗布部６としては、たとえば、回転するディスクの一方の側のエッジが液状の糊の容器に浸漬し、ディスクの他方の側のエッジが表紙１０２の表面に接触して糊を転移させる方式の糊塗布手段を使用することができる。また、糊としてはエマルジョン系、ホットメルト系、等を使用することができる。
【００１６】
丁合部７は冊子１０１と表紙１０２を合体させ一体化させる手段である。図１に示す一例においては、まず、挟持ベルトｄによって表紙１０２が丁合部７に搬送される。次に、コンベヤｂによって冊子１０１が丁合部７に搬送される。丁合部７に受け渡されるときに、冊子１０１と表紙１０２は相対的な位置合せ（エッジ基準による位置合せ、等）が行われると共に重ねられる、すなわち丁合される。表紙１０２には糊が塗布されているから重ねられることによって冊子１０１に表紙１０２が貼り付けられる。ただし、この段階では仮接着の状態となっている。
【００１７】
加圧部８は丁合された冊子１０１と表紙１０２の糊付けを強固とするために加圧する手段である。丁合された冊子１０１と表紙１０２はコンベヤｅ（図示せず）によって加圧部に搬送され、コンベヤｅから加圧部８に受け渡される。加圧部８は丁合された冊子１０１と表紙１０２の糊付け部位を主として機械的に挟み込んで加圧する。加圧部８において加圧が行われた後に、表紙が付いた冊子はコンベヤｆ（図示せず）によって表紙付冊子積載部９に搬送され、コンベヤｆから紙付冊子積載部９に受け渡される。
【００１８】
表紙付冊子積載部９は表紙が付いた冊子を積載しておく手段である。表紙付冊子積載部９において表紙が付いた冊子は所定数が積載される。所定数が積載された表紙付冊子はコンベヤｇ（図示せず）によって三方断裁部１０に搬送され、コンベヤｇから三方断裁部１０に受け渡される。
三方断裁部１０は表紙付冊子の仕上げ裁ちを行う手段である。三方断裁部１０において表紙付冊子は規定の寸法で小口の三方を仕上げ裁ちされる。この三方断裁により仕上裁ち済みの表紙付冊子が得られる。
【００１９】
照合部１１は冊子ＩＤ読取部３が出力する冊子ＩＤ番号と表紙ＩＤ番号読取部５が出力する表紙ＩＤ番号を照合して適正な対応関係を有するか否かを判定する手段である。冊子ＩＤ番号と表紙ＩＤ番号を照合するだけで適正な対応関係を有するか否かを判定することができるように冊子ＩＤ番号と表紙ＩＤ番号が決められている。冊子と表紙が仕様において対応関係を有するときには、それらの冊子ＩＤ番号と表紙ＩＤ番号は共通する番号部分を有する。
【００２０】
たとえば冊子ＩＤ番号「１２３４５６７８Ａ」、表紙ＩＤ番号「１２３４５６７８Ｂ」のようなＩＤ番号である。このＩＤ番号は共通する番号部分として上位８桁「１２３４５６７８」を有する。また相違する部分として下位１桁「Ａ」は冊子を表わし、「Ｂ」は表紙を表わしている。すなわち、上位８桁が一致していれば適正な対応関係を有すると判定され、一致していなければ適正な対応関係を有しないと判定される。
【００２１】
制御部１２は照合部１１において適正であると判定されたときには冊子１０１と表紙１０２を丁合部７に供給し、適正でないと判定されたときには冊子１０１と表紙１０２との丁合を回避するため制御を行う手段である。制御部１２は照合部１１において適正でないと判定されたとき以外は冊子１０１に表紙１０２を貼込む通常のシーケンスに従って制御を行う。照合部１１において適正でないと判定されたときには、制御部１２は冊子１０１、表紙１０２、等の材料を無駄にしないように制御を行う。
【００２２】
たとえば、表紙１０１に糊を塗布する前において機械停止する制御を行う。すなわち、制御部１２はコンベヤａ，ｂ，ｄ，ｅ，ｆ，ｇや挟持ベルトｃ，ｄを駆動する装置に対して駆動停止の指令を出力する。また、警報によりオペレータに機械停止（異常状態）を知らせる。
なお、照合部１１と制御部１２は、プログラマブルシーケンスコントローラ、パーソナルコンピュータ、等のデータ処理装置のソフトウェアとハードウェアによって実現することができる。
【図面の簡単な説明】
【００２３】
【図１】本発明の表紙貼込装置における構成と加工過程の一例を説明図として示す図である。
【図２】本発明の表紙貼込装置における制御系統の一例を示すブロック図である。
【符号の説明】
【００２４】
１  冊子積載部
２  冊子供給部
３  冊子ＩＤ読取部
４  表紙供給部
５  表紙ＩＤ読取部
６  糊塗布部
７  丁合部
８  加圧部
９  表紙付冊子積載部
１０  三方断裁部
１１  照合手段
１２  制御手段
１０１  冊子
１０２  表紙
１０３  連続用紙
【図１】
2006327013.tif 000003
【図２】
2006327013.tif 000004